(57)【要約】      （修正有）【課題】ハンマーの重心位置をきめ細かく調整でき、良好なタッチ感を得ることができる電子鍵盤楽器のハンマーの製造方法、および電子鍵盤楽器のハンマーを提供する。【解決手段】側面にその長さ方向に沿って並設された複数の凹部を有する合成樹脂製のアーム状のハンマー本体と、ハンマー本体に取り付けられた錘板とを備えるハンマーが製造される。ハンマー本体の複数の凹部と相補的な形状を有する第１〜第３入れ子６０ａ〜６０ｃを、固定側型板および可動側型板の少なくとも一方に、キャビティ５８ａ、５８ｂに対して進退自在に取り付け、キャビティ５８ａ、５８ｂに対する入れ子６０ａ〜６０ｃの進退位置を互いに独立して調整した状態で、溶融した合成樹脂をキャビティ５８ａ、５８ｂに射出することによって、ハンマー本体を成形する。【選択図】図５
2013076817.tif 000002
【特許請求の範囲】
【請求項１】
側面にその長さ方向に沿って並設された複数の凹部を有する合成樹脂製のアーム状のハンマー本体と、前記合成樹脂よりも比重の大きな材料から成る錘とを備え、押鍵された鍵と連動して回動する電子鍵盤楽器のハンマーの製造方法であって、
前記ハンマー本体の側面形状と相補的な形状を有するキャビティをそれぞれ形成した固定側型板および可動側型板を準備し、
前記ハンマー本体の前記複数の凹部とそれぞれ相補的な形状を有する複数の入れ子を、前記固定側型板および前記可動側型板の少なくとも一方の所定位置に、前記キャビティに対して進退自在に取り付け、
前記キャビティに対する前記複数の入れ子の進退位置を互いに独立して調整し、
前記固定側型板および前記可動側型板を型締めした状態で、溶融した合成樹脂を前記キャビティに射出することによって、前記ハンマー本体を成形することを特徴とする電子鍵盤楽器のハンマーの製造方法。
【請求項２】
前記複数の入れ子の進退位置の調整を、当該進退位置の組合せが互いに異なる複数の組合せパターンでそれぞれ行うことによって、重さおよび／または重心位置が互いに異なる複数種類のハンマー本体を成形することを特徴とする、請求項１に記載の電子鍵盤楽器のハンマーの製造方法。
【請求項３】
前記錘として、重さが互いに異なる複数種類の錘を準備し、
前記複数種類のハンマー本体から選択されたハンマー本体に、前記複数種類の錘から選択された錘を取り付けることを特徴とする、請求項２に記載の電子鍵盤楽器のハンマーの製造方法。
【請求項４】
所定の複数の音域ごとに１つの種類の前記錘を選択するとともに、前記複数の音域の各々において複数種類の前記ハンマー本体を選択することを特徴とする、請求項３に記載の電子鍵盤楽器のハンマーの製造方法。
【請求項５】
請求項１ないし４のいずれかに記載の電子鍵盤楽器のハンマーの製造方法によって製造されたハンマー本体を備えることを特徴とする電子鍵盤楽器のハンマー。
【発明の詳細な説明】
【技術分野】
【０００１】
本発明は、電子ピアノなどの電子鍵盤楽器に用いられ、押鍵された鍵と連動して回動する電子鍵盤楽器のハンマーの製造方法、および電子鍵盤楽器のハンマーに関する。
【背景技術】
【０００２】
従来の電子鍵盤楽器のハンマーとして、例えば特許文献１に開示されたものが知られている。このハンマーは、樹脂部と、質量体としての金属棒で構成されており、樹脂部を介して支持部材に回動自在に取り付けられている。金属棒は、鉄材などで構成されており、アウトサート成形により樹脂部と一体に成形され、ハンマーの支点から遠ざかるように樹脂部から延びている。金属棒の先端部は折り返されており、この折返し部により、金属棒の先端部の質量が増加することで、ハンマーの回転モーメントの増加が図られる。また、金属棒の切断加工や曲げ加工により、折返し部の長さや角度を鍵ごとまたは所定の音域ごとに変更することによって、鍵または音域に応じたタッチ感を得るようにしている。
【先行技術文献】
【特許文献】
【０００３】
【特許文献１】特許第２９１７８６３号公報
【発明の概要】
【発明が解決しようとする課題】
【０００４】
例えばグランドピアノでは、ハンマーの重さや重心位置が鍵ごとに異なる。具体的には、低音側であるほど、ハンマーはより重く、重心位置は支点からより遠くに位置しており、その相違に応じたタッチ感が得られる。したがって、電子ピアノなどの電子鍵盤楽器においてグランドピアノに近似した良好なタッチ感を得るためには、ハンマーの重心位置を鍵や音域に応じて変更することが好ましい。
【０００５】
これに対し、上述した従来のハンマーでは、金属棒の切断加工や曲げ加工により、折返し部の長さや角度を変更することによって、ハンマーの重心位置が調整される。しかし、金属棒の切断加工および曲げ加工はいずれも精度が低いため、ハンマーの重心位置を大ざっぱに調整できるにすぎず、きめ細かい調整は行えない。また、ハンマーの重心位置の調整を金属棒のみで行うため、その調整の段階数と同じ品数（種類）の金属棒、例えば鍵ごとに重心位置を調整するのであれば鍵と同じ品数の金属棒を作製しなければならず、その作製や管理が非常に煩雑になってしまう。
【０００６】
本発明は、以上のような課題を解決するためになされたものであり、ハンマーの重心位置をきめ細かく調整でき、それにより、良好なタッチ感を得ることができる電子鍵盤楽器のハンマーの製造方法、および電子鍵盤楽器のハンマーを提供することを目的とする。
【課題を解決するための手段】
【０００７】
上記の目的を達成するために、請求項１に係る発明は、側面にその長さ方向に沿って並設された複数の凹部を有する合成樹脂製のアーム状のハンマー本体と、ハンマー本体に取り付けられた錘とを備え、押鍵された鍵と連動して回動する電子鍵盤楽器のハンマーの製造方法であって、ハンマー本体の側面形状と相補的な形状を有するキャビティをそれぞれ形成した固定側型板および可動側型板を準備し、ハンマー本体の複数の凹部とそれぞれ相補的な形状を有する複数の入れ子を、固定側型板および可動側型板の少なくとも一方の所定位置に、キャビティに対して進退自在に取り付け、キャビティに対する複数の入れ子の進退位置を互いに独立して調整し、固定側型板および可動側型板を型締めした状態で、溶融した合成樹脂をキャビティに射出することによって、ハンマー本体を成形することを特徴とする。
【０００８】
この製造方法によれば、固定側型板および可動側型板のキャビティに対応する側面形状を有し、複数の入れ子に対応する複数の凹部が側面の長さ方向に沿って並設された、合成樹脂製のハンマー本体が成形される。また、その成形の際に、キャビティに対する複数の入れ子の進退位置を互いに独立して調整することによって、複数の凹部の肉厚が個別に変更される。また、射出成形の精度は、従来のハンマーの重心位置の調整に用いられていた金属棒の切断加工や曲げ加工の精度よりもはるかに高い。したがって、所望の重さおよび／または重心位置を有するハンマー本体を精度良く得ることができる。そして、そのように重さおよび／または重心位置を精度良く調整されたハンマー本体を、錘と組み合わせることで、両者により定まるハンマー全体の重心位置を調整するので、ハンマーの重心位置をきめ細かく調整でき、したがって、良好なタッチ感を得ることができる。
【０００９】
請求項２に係る発明は、請求項１に記載の電子鍵盤楽器のハンマーの製造方法において、複数の入れ子の進退位置の調整を、進退位置の組合せが互いに異なる複数の組合せパターンで行うことによって、重さおよび／または重心位置が互いに異なる複数種類のハンマー本体を成形することを特徴とする。
【００１０】
この構成によれば、ハンマー本体を成形する際、キャビティに対する複数の入れ子の進退位置の調整を、それらの複数の組合せパターンでそれぞれ行うことにより、その組合せパターンに応じた、重さおよび／または重心位置が異なる複数種類のハンマー本体が容易に得られる。そして、これらの複数種類のハンマー本体から、音域または鍵に応じてハンマー本体を選択することによって、音域や鍵に応じた適切なハンマーの重心位置を容易に実現することができる。
【００１１】
請求項３に係る発明は、請求項２に記載の電子鍵盤楽器のハンマーの製造方法において、錘として、重さが互いに異なる複数種類の錘を準備し、複数種類のハンマー本体から選択されたハンマー本体に、複数種類の錘から選択された錘を取り付けることを特徴とする。
【００１２】
この構成によれば、重さおよび／または重心位置が異なる複数種類のハンマー本体から選択されたハンマー本体と、重さが異なる複数の種類の錘から選択された錘とを組み合わせることによって、その組合せごとに異なるハンマーの重心位置を実現でき、したがって、ハンマーの重心位置をきめ細かくかつ広範囲で調整することができる。また、ハンマー本体と錘との組合せによってハンマーの重心位置を調整するので、この調整を金属棒のみで行っていた従来の場合と比較し、用意すべき部品の品数が低減され、それらの作製や管理が簡素化されることで、重心位置の調整をより容易に行うことができる。
【００１３】
請求項４に係る発明は、請求項３に記載の電子鍵盤楽器のハンマーの製造方法において、所定の複数の音域ごとに１つの種類の錘を選択するとともに、複数の音域の各々において複数種類のハンマー本体を選択することを特徴とする。
【００１４】
この構成によれば、電子ピアノの音域を所定の複数の音域に区分するとともに、区分された音域ごとに重さが同じ１つの種類の錘を選択する。また、各音域内では、複数種類のハンマー本体を選択する。これにより、ハンマーの重心位置を、比重がより大きな錘によって音域ごとに粗く調整するとともに、各音域においてはハンマー本体で微調整することができる。その結果、例えば、全音域にわたり、低音側に向かうにつれて重心位置がハンマーの先端側に次第に移行するような、グランドピアノに近い重心位置の分布を実現でき、グランドピアノに非常に近い良好なタッチ感を得ることができる。
【００１５】
請求項５に係る発明は、電子鍵盤楽器のハンマーであって、請求項１ないし４のいずれかに記載の電子鍵盤楽器のハンマーの製造方法によって製造されたハンマー本体を備えることを特徴とする。
【００１６】
この構成によれば、電子鍵盤楽器のハンマーにおいて、請求項１〜４による前述した効果を同様に得ることができる。
【図面の簡単な説明】
【００１７】
【図１】本発明の一実施形態による製造方法によって製造されたハンマーを備えた電子ピアノの鍵盤装置を、一部を切り欠いた状態で示す側面図である。
【図２】ハンマーの斜視図である
【図３】ハンマーの（ａ）平面図、および（ｂ）側面図である
【図４】ハンマー本体を成形するための金型を概略的に示す正面図である。
【図５】図４の金型の造形部を示す図である。
【図６】金型によるハンマー本体の成形状況を示す図である。
【図７】金型による、図６と種類の異なるハンマー本体の成形状況を示す図である。
【発明を実施するための形態】
【００１８】
以下、図面を参照しながら、本発明の好ましい実施形態を詳細に説明する。図１は、本発明による製造方法によって製造されたハンマーを備えた電子ピアノの鍵盤装置を、離鍵状態において示している。
【００１９】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００２０】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００２１】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００２２】
鍵２は、前後方向に延びるとともに矩形状の横断面を有する木製の鍵本体１５と、その前部の上面および前面に接着された合成樹脂製の鍵カバー１６で構成されている。鍵本体１５の前後方向の中央には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００２３】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２４】
ハンマー５は、前後方向に延びるアーム状のハンマー本体２２と、その左右の側面の前端部に取り付けられた錘板２３（１つのみ図示）を有する。ハンマー本体２２は合成樹脂の成形品で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２５】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２６】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びておりその先端部には、くびれ部を介して頭部２８が形成されている。この頭部２８は、離鍵状態において、ハンマー５の係合突起２７に対向している。
【００２７】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、中央の部分で、スイッチ取付部２０にねじ止めされている。また、スイッチ本体３０は、スイッチ基板２９の下面に取り付けられており、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２８】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２９】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００３０】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００３１】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００３２】
次に、本発明に係るハンマー５の構成および製造方法について、詳細に説明する。前述したように、ハンマー５は、合成樹脂の成形品で構成され、前後方向に延びるアーム状のハンマー本体２２と、金属材料で構成され、ハンマー本体２２の左右の側面の前端部に取り付けられた錘板２３などで構成されている。
【００３３】
図２および図３に示すように、ハンマー本体２２は、基本的に左右対称に構成されるとともに、図３（ｂ）に示すような所定の側面形状を有している。ハンマー本体２２の前端部は、錘板取付部４１になっており、この錘板取付部４１の左右の側面に、錘板２３、２３がリベット４２によって取り付けられている。なお、図示しないが、この錘板２３として、複数種類（例えば白鍵２ａ、黒鍵２ｂごとに各４種類）の錘板２３が用意されている。これらの各４種類の錘板２３は、サイズが異なることで、互い異なる重さを有しており、所定の音域ごとに選択され、低音域ほど、より重い錘板２３が配置されている。
【００３４】
また、ハンマー本体２２の錘取付部４１よりも後ろ側の部分には、ハンマー本体２２の長さ方向に沿って、前凹部４３ａ、中凹部４３ｂおよび後凹部４３ｃから成る３つの凹部４３が並設されている。これらの前凹部４３ａ、中凹部４３ｂおよび後凹部４３ｃは、ハンマー本体２２の左右の両側面に形成されており、それぞれの周縁部を残して、側面のほぼ全体に設けられている。前述したキャプスタンスクリュー２５は、後凹部４３ｃの壁部に設けられている。
【００３５】
また、ハンマー本体２２として、複数種類（例えば４種類）のハンマー本体２２が用意されている。これらの４種類のハンマー本体２２は、凹部４３の肉厚が異なることで、互いに異なる重心位置を有するものであり、上記の所定の音域の各々において、低音側ほど、重心位置がより先端側に近いハンマー本体２２が選択され、配置されている。
【００３６】
ハンマー本体２２と錘板２３が上記のように選択され、組み合わされる結果、ハンマー５の重心位置は、電子ピアノの全音域にわたり、低音側に向かうにつれてハンマー５の先端側に次第に移行するような、グランドピアノに近い分布に設定されている。
【００３７】
図４および図５は、ハンマー本体２２を成形するための金型を示す。図４に示すように、この金型５０は、固定側取付板５１に取り付けられた上側の固定側型板５２と、可動側取付板５３に、スペーサブロック５４および受け板５５を介して取り付けられた下側の可動側型板５６を備えている。
【００３８】
図５に示すように、固定側型板５２および可動側型板５６にはそれぞれ、固定側造形部５７ａおよび可動側造形部５７ｂが設けられている。固定側造形部５７ａおよび可動側造形部５７ｂにはそれぞれ、ハンマー本体２２の側面形状と相補的な形状を有するキャビティ５８ａ、５８ｂが形成されている。
【００３９】
また、固定側造形部５７ａおよび可動側造形部５７ｂにはそれぞれ、ハンマー本体２２の前凹部４３ａ、中凹部４３ｂおよび後凹部４３ｃにそれぞれ対応する所定位置に、第１〜第３入れ子６０ａ〜６０ｃが設けられている。固定側造形部５７ａ側および可動側造形部５７ｂ側の第１〜第３入れ子６０ａ〜６０ｃは、上下対称に配置されており、互いに同じ構成を有するので、以下、これらを代表して、固定側造形部５７ａ側のものについて説明する。
【００４０】
第１入れ子６０ａは、ハンマー本体２２の前凹部４３ａと相補的な形状を有しており、固定側造形部５７ａに形成された凹部６１ａに収容されている。この凹部６１ａは、第１入れ子６０ａと同じ形状の一定の断面を有するとともに、固定側造形部５７ａの下面に開口している。また、第１入れ子６０ａの上面には、調整ねじ６２ａがねじ込まれている。この調整ねじ６２ａは、固定側造形部５７ａに対して上下方向に移動不能に設けられている。
【００４１】
以上の構成により、調整ねじ６２ａを回すと、第１入れ子６０ａが、凹部６１ａ内を上下方向に移動し、キャビティ５８ａに対して進退する。また、調整ねじ６２ａの回転量に応じて、キャビティ５８ａに対する第１入れ子６０ａの進退位置（突出量）が無段階に調整される。
【００４２】
第２入れ子６０ｂおよび第３入れ子６０ｃの構成は、上述した第１入れ子６０ａの構成と基本的に同じである。具体的には、第２入れ子６０ｂは、ハンマー本体２２の中凹部４３ｂと相補的な形状を有し、固定側造形部５７ａの凹部６１ｂに収容されており、第２入れ子６０ｂの上面に設けられた移動不能の調整ねじ６２ｂを回すことによって、凹部６１ｂ内を上下方向に移動し、キャビティ５８ａに対して進退する。また、調整ねじ６２ｂの回転量に応じて、キャビティ５８ａに対する第２入れ子６０ｂの進退位置が無段階に調整される。
【００４３】
同様に、第３入れ子６０ｃは、ハンマー本体２２の後凹部４３ｃと相補的な形状を有し、固定側造形部５７ａの凹部６１ｃに収容されており、第３入れ子６０ｃの上面に設けられた移動不能の調整ねじ６２ｃを回すことによって、凹部６１ｃ内を上下方向に移動し、キャビティ５８ａに対して進退する。また、調整ねじ６２ｃの回転量に応じて、キャビティ５８ａに対する第３入れ子６０ｃの進退位置が無段階に調整される。
【００４４】
上述した金型５０を用いてハンマー本体２２を成形する場合には、まず可動側型板５６を下降させ、固定側型板５２および可動側型板５６を互いに開放した状態で、調整ねじ６２ａ〜６２ｃを回し、第１〜第３入れ子６０ａ〜６０ｃのキャビティ５８ａ、５８ｂに対する進退位置を調整する。次に、可動側型板５６を上昇させ、固定側型板５２および可動側型板５６を型締めした状態で、射出成形機から樹脂注入口（いずれも図示せず）を介して、溶融した合成樹脂をキャビティ５８ａ、５８ｂに注入し、射出することによって、ハンマー本体２２が成形される。
【００４５】
以上のようにして成形されたハンマー本体２２は、固定側型板５２および可動側型板５６のキャビティ５８ａ、５８ｂに対応する側面形状を有する。また、ハンマー本体２２の左右の両側面には、第１〜第３入れ子６０ａ〜６０ｃにそれぞれ対応する前凹部４３ａ、中凹部４３ｂおよび後凹部４３ｃが形成される。また、前凹部４３ａ、中凹部４３ｂおよび後凹部４３ｃの肉厚は、調整ねじ６２ａ〜６２ｃによって調整される第１〜第３入れ子６０ａ〜６０ｃの進退位置に応じて定まる。
【００４６】
図６および図７は、第１〜第３入れ子６０ａ〜６０ｃの進退位置を異ならせ、ハンマー本体２２を成形した２つの例を示す。図６は、低音側用のハンマー本体２２の例である。この場合には、第１〜第３入れ子６０ａ〜６０ｃの進退位置を、キャビティ５８ａ、５８ｂへの突出量が第１〜第３入れ子６０ａ〜６０ｃの順に小さくなるように調整する（同図（ａ））。したがって、この場合には、凹部４３の肉厚は、前凹部４３ａ、中凹部４３ｂおよび後凹部４３ｃの順に大きくなり、重心位置が先端側に近いハンマー本体２２が得られる（同図（ｂ））。
【００４７】
これに対し、図７は、高音側用のハンマー本体２２の例である。この場合には、、第１〜第３入れ子６０ａ〜６０ｃの進退位置を、キャビティ５８ａ、５８ｂへの突出量が、上記とは逆に第１〜第３入れ子６０ａ〜６０ｃの順に大きくなるように調整する（同図（ａ））。したがって、この場合には、凹部４３の肉厚は、前凹部４３ａ、中凹部４３ｂおよび後凹部４３ｃの順に小さくなり、低音側用のハンマー本体２２と比較し、重心位置が先端側から遠く、重さがほぼ同じハンマー本体２２が得られる（同図（ｂ））。
【００４８】
また、図示しないが、上記の低音側用および高音側用のハンマー本体２２に加え、第２入れ子６０ｂの進退位置を上記と同じにし、第１および第３入れ子６０ａ、６０ｃの進退位置を図６と図７の中間の位置に２段階でそれぞれ調整した状態で、中音用の２種類のハンマー本体２２が成形される。以上により、低音側ほど重心位置がより先端側に位置し、重さがほぼ同じ計４種類のハンマー本体２２が用意される。そして、これらの４種類のハンマー本体２２と重さが異なる４種類の錘板２３から、ハンマー本体２２および錘板２３を前述したように選択し、組み合わせることによって、ハンマー５が構成されるとともに、ハンマー５の重心位置が調整される。
【００４９】
以上のように、本実施形態によれば、ハンマー本体２２を射出成形する際に、第１〜第３入れ子６０ａ〜６０ｃの進退位置を調整し、前凹部４３ａ、中凹部４３ｂおよび後凹部４３ｃの肉厚を無段階に変更するので、所望の重心位置を有するハンマー本体２２を精度良く得ることができる。そして、そのように重心位置を精度良く調整されたハンマー本体２２を錘板２３と組み合わせることによって、ハンマー５の重心位置をきめ細かく調整でき、したがって、良好なタッチ感を得ることができる。
【００５０】
また、調整ねじ６２ａ〜６２ｃにより、第１〜第３入れ子６０ａ〜６０ｃの進退位置を互いに独立して調整することによって、重心位置が異なる複数種類のハンマー本体２２を容易に得るとともに、これらの複数種類のハンマー本体２２から、音域や鍵２に応じてハンマー本体２２を選択するので、音域や鍵２に応じた適切なハンマー５の重心位置を容易に実現することができる。
【００５１】
さらに、重心位置が異なる複数種類のハンマー本体２２および重さが異なる複数種類の錘板２３からそれぞれ選択されたハンマー本体２２と錘板２３とを組み合わせるので、その組合せごとに異なるハンマー５の重心位置を実現でき、したがって、ハンマー５の重心位置をきめ細かくかつ広範囲で調整することができる。また、ハンマー本体２２と錘板２３との組合せによってハンマー５の重心位置を調整するので、この調整を金属棒のみで行っていた従来の場合と比較し、用意すべき部品の品数が低減され、それらの作製や管理が簡素化されることで、ハンマー５の重心位置の調整をより容易に行うことができる。
【００５２】
また、所定の音域ごとに、低音域ほど、より重い錘板２３が配置されるとともに、各音域内では、低音側ほど、重心位置が先端側により近いハンマー本体２２が配置されるので、電子ピアノの全音域にわたり、低音側に向かうにつれて重心位置がハンマー５の先端側に次第に移行するような、グランドピアノに近いハンマー５の重心位置の分布を実現でき、グランドピアノに近似した良好なタッチ感を得ることができる。
【００５３】
また、本発明は、複数の入れ子の進退位置を互いに独立して調整し、凹部の肉厚を個別に変更するものであるので、複数の入れ子の進退位置の調整の仕方を変えることによって、上述した実施形態以外の様々な態様で実施することができる。
【００５４】
例えば、実施形態では、第２入れ子６０ｂの進退位置を一定にし、第１および第３入れ子６０ａ、６０ｃの進退位置を互いに逆方向に変化するように調整することで、主としてハンマー本体２２の重心位置を調整している。これに代えて、第１〜第３入れ子６０ａ〜６０ｃの進退位置を一律に変更し、すべての凹部４３の肉厚を一律に増減することによって、主としてハンマー本体２２の重さを調整するようにしてもよい。このようにハンマー本体２２の重さを調整した場合にも、これに錘板２３を取り付けたハンマー５全体の重心位置が変化するので、ハンマー５の重心位置の調整を同様に行うことができる。
【００５５】
また、第１〜第３入れ子６０ａ〜６０ｃの進退位置を上述した以外の調整パターンで調整することも可能であり、それにより、調整パターンに応じた重心位置および／または重さが異なるハンマー本体２２を得て、所望の重心位置を有するハンマー５を実現することができる。
【００５６】
また、ハンマー５の重心位置の調整をそれほどきめ細かく行わず、ハンマー本体２２の重心位置などの調整段階が少なくてよい場合には、第１〜第３入れ子６０ａ〜６０ｃの一部の進退位置を、あるいは固定側型板５２および可動側型板５６のうちの一方の第１〜第３入れ子６０ａ〜６０ｃのみの進退位置を調整してもよい。あるいは、第１〜第３入れ子６０ａ〜６０ｃを固定側型板５２および可動側型板５６の一方のみに設けてもよい。また、進退自在の第１〜第３入れ子６０ａ〜６０ｃに代えて、長さが異なる複数の固定式の入れ子を採用し、変更すべき凹部４３の肉厚に応じて交換しながら用いるようにしてもよい。
【００５７】
さらに、上記とは逆に、ハンマー５の重心位置をよりきめ細かく調整する場合に、ハンマー本体２２の種類を実施形態よりも増やしてもよい。例えば、ハンマー本体２２の種類を所定の音域内における鍵２の数と同じ数まで増やすとともに、これらのハンマー本体２２と錘板２３を実施形態と同様に配置することによって、全音域にわたり、低音側に向かうにつれて重心位置が鍵２ごとにハンマー５の先端側に次第に変化するような、グランドピアノに非常に近いハンマー５の重心位置の分布を実現できる。それにより、グランドピアノに非常に近似した良好なタッチ感を得ることができる。その他、細部の構成を、本発明の趣旨の範囲内で適宜、変更することができる。
【符号の説明】
【００５８】
２  鍵
２ａ  白鍵
２ｂ  黒鍵
５  ハンマー
２２  ハンマー本体
２３  錘板（錘）
４３  ハンマー本体の凹部
４３ａ  前凹部
４３ｂ  中凹部
４３ｃ  後凹部
５２  固定側型板
５６  可動側型板
５８ａ  キャビティ
５８ｂ  キャビティ
６０ａ  第１入れ子（入れ子）
６０ｂ  第２入れ子（入れ子）
６０ｃ  第３入れ子（入れ子）
６２ａ  調整ねじ
６２ｂ  調整ねじ
６２ｃ  調整ねじ
【図１】
2013076817.tif 000003
【図２】
2013076817.tif 000004
【図３】
2013076817.tif 000005
【図４】
2013076817.tif 000006
【図５】
2013076817.tif 000007
【図６】
2013076817.tif 000008
【図７】
2013076817.tif 000009